(57)【要約】      （修正有）【課題】簡単な作業で台紙とシャツを固定することができ、ワイシャツの襟の内側に表示された商品表示を確認することが可能なシャツ用一体型台紙を提供する。【解決手段】一枚の型紙にてシャツＰの背面に重合する台紙１０を形成する。台紙１０の上端に連結部３０を介して襟整形部２０を連設する。該襟整形部２０を襟の内側に沿って重合する。紙本体１０Ａと補助台紙１０Ｂとで台紙１０を構成する。該台台紙本体１０Ａの側縁部に補助台紙１０Ｂを連設する。台紙本体１０ＡをシャツＰの背面に重合する。台紙本体１０Ａ上に折りたたまれた一方の袖の上に補助台紙１０Ｂを重ねる。該補助台紙１０Ｂの上に他方の袖を折りたたんで重ねるように構成する。【選択図】図１
0003170263.tif 000002
【実用新案登録請求の範囲】
【請求項１】
一枚の型紙にて形成され、シャツの背面に重合する台紙と、該台紙の上端に設けられた連結部を介して連設され、襟の内側に沿って重合する襟整形部とを備え、折りたたんだ状態のシャツの形状を維持するシャツ用一体型台紙において、台紙は、シャツの背面に重合する台紙本体と、該台台紙本体の側縁部に連設された補助台紙とで構成され、台紙本体上に折りたたまれた一方の袖の上に補助台紙を重ね、該補助台紙の上に他方の袖を折りたたんで重ねるように構成したことを特徴とするシャツ用一体型台紙。
【請求項２】
前記台紙本体に、折りたたまれた袖を襟方向から係止する複数のクリップ片を切り起こし形成すると共に、前記補助台紙に、折りたたまれた袖を袖方向から係止する矩形状の重合片を切り起こし形成した請求項１記載のシャツ用一体型台紙。
【請求項３】
前記連結部から台紙本体にかけて切り起こされたボタン固定片を形成し、該ボタン固定片にシャツのボタン径より大径の挿通孔とボタン径より小径の係止孔とを併設したボタン固定孔を開穿し、該ボタン固定孔を台紙裏側のシャツのボタンに嵌合させるように構成した請求項１又は２記載のシャツ用一体型台紙。
【請求項４】
前記襟整形部の一部に、シャツの襟の内側に表示された商品表示が見える確認窓部を形成した請求項１記載のシャツ用一体型台紙。
【請求項５】
前記襟整形部は、前記台紙の上端部に連設されて襟の外側に当接する連結部を介して襟の内部に重合するように設けられた帯状を成し、該襟整形部の一端に差込片を形成すると共に、襟整形部の他端部がわで前記確認窓部に隣接する位置に差込片を挿入係止せしめる係止スリットを複数形成し、該係止スリットの位置を選択して襟のサイズに合わせたリング状に連結するように構成した請求項１又は４記載のシャツ用一体型台紙。
【考案の詳細な説明】
【技術分野】
【０００１】
本考案は、折り畳んだ状態のワイシャツやカッターシャツ等の形状を維持するために使用するシャツ用一体型台紙に係り、簡単な作業で台紙とシャツを固定することができ、しかも、ワイシャツの襟の内側に表示された商品表示を確認することが可能なシャツ用一体型台紙に関する。
【背景技術】
【０００２】
従来、ワイシャツの店頭販売には、例えば、ボール紙などの型紙を包み込み、型崩れしない状態で袋に収納して展示されている。この際、矩形状の型紙をシャツの胴体部分に重ねると共に、折り返し襟の内部に型崩れ防止用のカラーを挿入し、これらの型紙やカラーをピンやクリップで固定していた。
【０００３】
このように包装すると、型紙のほかにピンやクリップなどが必要になるので、包装作業に手間がかかる上に、コストアップとなり、更に、使用者がピン等でケガをする危険性もあった。また、通常の台紙とプラスチック製補強材をセットにした場合、消費者が使用後に紙ゴミとプラスチックゴミに分別してゴミを出さなければならない。そこで、型紙のみでワイシャツを折り畳み包装できるようにした一体型台紙が特許文献１や特許文献２などで提案されている。
【０００４】
いずれの台紙も上下左右の４つの側縁部を有する四角枠状の台紙本体に、襟整形部、挟込部、肩固定部等を一体に形成したものである。特許文献１では、襟整形部を襟の内側に沿って配置し、特許文献２では襟の折込み部分に挿入して配置するものである。
【先行技術文献】
【特許文献】
【０００５】
【特許文献１】実用新案登録第３０３７５５４号公報
【特許文献２】特開２００５−１２６１２９号公報
【考案の概要】
【考案が解決しようとする課題】
【０００６】
従来の一体型台紙では、ピンやクリップを使用していないので、包装後に台紙からシャツがずれてしまうおそれがあった。
【０００７】
そのため、特許文献１では、台紙の左右に折板を設け、この左右折板の上端部に突設した延伸部なる部材を台紙の嵌め溝に差し込んで固定すると共に、ボタン止め敷板なる部材を設け、台紙の裏に折りたたんだシャツのボタンにこのボタン止め敷板を掛け止めることで、台紙からシャツがずれるのを防止しようとするものである。
【０００８】
ところが、このような延伸部なる部材を、シャツを折りたたみながら台紙に差し込む作業や、ボタン止め敷板をボタンに掛け止める作業等は手間のかかる作業になっていた。しかも、特許文献１では、襟を固定するために別部材の蝶形片を使用するので、一体型台紙として、部材が多くなる不都合もあった。
【０００９】
また、特許文献１のような一体型台紙によると、シャツの襟の内部に沿って襟整形部を配置する構成になっている。ところが、一般的なシャツには、襟の内側にシャツのサイズ等を示す個別の商品表示が付されている。
【００１０】
この商品表示には、襟や袖丈のサイズのほか、シャツの素材や加工方法、製造元、製品番号等も併記されている。そして、この商品表示は、シャツ包装時に添付するタグや下げ札を装着する前のシャツの重要な標識になるため、特許文献１のような一体型台紙を使用してこの商品表示が隠れてしまうと、商品とタグが一致しているか否かを確認することができなくなる不都合が生じる。
【００１１】
一方、特許文献２では、特に襟成形部を固定するために、襟整形部の左右端部にそれぞれ切り込みを形成し、この切り込みをシャツの第１ボタンに差し込んで襟整形部を固定する構成が提案されている。ところが、ワイシャツの第１ボタンに左右から襟整形部の切り込みを差し込む作業は極めて困難な作業にならざるを得ない。
【００１２】
しかも、この第１ボタン付近は、ワイシャツの襟ポイントとして最も注目される部位であるから、商品としても大切に扱う必要がある。したがって、襟整形部の切り込みを第１ボタンに差し込む際に、この襟ポイントにシワや汚れなどが一切付かないように注意を払わなければならず、この差込作業はより困難な作業になっている。
【００１３】
また、襟成形部の切り込みによって襟を固定する一体型の台紙を使用した場合でも、台紙から襟以外の部分がずれてしまうおそれもあった。例えば、台紙に重ねた袖などがずれ易くなっており、このずれた袖などによって思わぬ場所にシワが発生し、シャツの商品価値を落とすおそれもある。
【００１４】
そこで本考案は、上述の課題を解消すべく案出されたもので、簡単な作業で台紙とシャツを固定することができ、しかも、ワイシャツの襟の内側に表示された商品表示を確認することが可能なシャツ用一体型台紙の提供を目的とするものである。
【課題を解決するための手段】
【００１５】
上述の目的を達成すべく本考案における第１の手段は、一枚の型紙にて形成され、シャツＰの背面に重合する台紙１０と、該台紙１０の上端に設けられた連結部３０を介して連設され、襟Ｐ１の内側に沿って重合する襟整形部２０とを備え、折りたたんだ状態のシャツＰの形状を維持するシャツＰ用一体型台紙において、台紙１０は、シャツＰの背面に重合する台紙本体１０Ａと、該台台紙本体１０Ａの側縁部に連設された補助台紙１０Ｂとで構成され、台紙本体１０Ａ上に折りたたまれた一方の袖Ｐ２の上に補助台紙１０Ｂを重ね、該補助台紙１０Ｂの上に他方の袖Ｐ２を折りたたんで重ねるように構成したことにある。
【００１６】
第２の手段において、折りたたまれた袖Ｐ２を襟Ｐ１方向から係止する複数のクリップ片１１を、前記台紙本体１０Ａに切り起こし形成すると共に、前記補助台紙１０Ｂに、折りたたまれた袖Ｐ２を袖Ｐ２方向から係止する矩形状の重合片１２を切り起こし形成している。
【００１７】
第３の手段において、前記連結部３０から台紙本体１０Ａにかけて切り起こされたボタン固定片３１を形成し、該ボタン固定片３１にシャツＰのボタン径より大径の挿通孔３２Ａとボタン径より小径の係止孔３２Ｂとを併設したボタン固定孔３２を開穿し、該ボタン固定孔３２を台紙１０裏側のシャツＰのボタンに嵌合させるように構成したものである。
【００１８】
第４の手段は、前記襟整形部２０の一部に、シャツＰの襟Ｐ１の内側に表示された商品表示が見える確認窓部２１を形成したことにある。
【００１９】
第５の手段において、前記襟整形部２０は、前記台紙１０の上端部に連設されて襟Ｐ１の外側に当接する連結部３０を介して襟Ｐ１の内部に重合するように設けられた帯状を成し、該襟整形部２０の一端に差込片２２を形成すると共に、襟整形部２０の他端部がわで前記確認窓部２１に隣接する位置に差込片２２を挿入係止せしめる係止スリット２３を複数形成し、該係止スリット２３の位置を選択して襟Ｐ１のサイズに合わせたリング状に連結するように構成したものである。
【考案の効果】
【００２０】
本考案の請求項１によると、台紙１０は、シャツＰの背面に重合する台紙本体１０Ａと、該台台紙本体１０Ａの側縁部に連設された補助台紙１０Ｂとで構成され、台紙本体１０Ａ上に折りたたまれた一方の袖Ｐ２の上に補助台紙１０Ｂを重ね、該補助台紙１０Ｂの上に他方の袖Ｐ２を折りたたんで重ねるように構成したことにより、簡単な作業で台紙とシャツＰを固定することができる。しかも、台紙１０と共に包装されたシャツＰは、台紙本体１０Ａと補助台紙１０Ｂとの間にシャツＰの袖Ｐ２が交互に重合されているので、包装後に台紙からシャツＰがずれてしまうおそれは解消された。また、プラスチック素材を使わず全て紙素材にしたことにより、CO2の排出量が極めて低く環境負荷が少ない。また、全て紙製のため、消費者が使用後に分別する必要もない。
【００２１】
請求項２のように、台紙本体１０Ａに、折りたたまれた袖Ｐ２を襟Ｐ１方向から係止する複数のクリップ片１１を切り起こし形成すると共に、補助台紙１０Ｂに、折りたたまれた袖Ｐ２を袖Ｐ２方向から係止する矩形状の重合片１２を切り起こし形成しているので、台紙１０とシャツＰの固定力をさらに高めることができる。すなわち、台紙本体１０Ａの上に折りたたんだシャツＰの袖Ｐ２をクリップ片１１が襟Ｐ１方向から係止すると共に、補助台紙１０Ｂの上に折りたたんだシャツＰの袖Ｐ２を重合片１２が袖Ｐ２方向から係止しているので、台紙本体１０ＡとシャツＰの各袖Ｐ２と補助台紙１０Ｂとが一体化し、折りたたみ状態が強固に保持されるものである。
【００２２】
請求項３のごとく、連結部３０から台紙本体１０Ａにかけて切り起こされたボタン固定片３１のボタン固定孔３２を台紙１０裏側のシャツＰのボタンに嵌合させるように構成したことで、台紙本体１０ＡにシャツＰをさらに固定することができる。しかも、ボタン固定片３１は、襟整形部２０を連設する連結部３０から切り起こした部材なので、これら襟整形部２０と連結部３０と台紙本体１０Ａとが、ボタン固定片３１を介してシャツＰに固定される効果もある。
【００２３】
請求項４のように、襟整形部２０の一部に、シャツＰの襟Ｐ１の内側に表示された商品表示が見える確認窓部２１を形成したことにより、ワイシャツＰの襟Ｐ１の内側に表示された商品表示を確認することが可能になった。しかも、この確認窓部２１を形成した襟整形部２０は、連結部３０を介して台紙１０に連設されており、包装後にずれるおそれがない。したがって、確認窓部２１がずれて商品表示が見えなくなるおそれもない。
【００２４】
請求項５のごとく、襟整形部２０の一端に差込片２２を形成すると共に、襟整形部２０の他端部がわで前記確認窓部２１に隣接する位置に差込片２２を挿入係止せしめる係止スリット２３を複数形成したことで、係止スリット２３の位置を選択して襟Ｐ１のサイズに合わせたリング状に連結する際に、確認窓部２１の位置がずれることなく差込片２２を連結することができる。
【図面の簡単な説明】
【００２５】
【図１】本考案をシャツと共に展開した状態の正面図である。
【図２】本考案の一実施例を示す正面図である。
【図３】本考案の連結部と襟整形部を示す斜視図である。
【図４】本考案の台紙本体の使用手順を示す背面図である。
【図５】本考案の補助台紙の使用手順を示す背面図である。
【図６】本考案の重合片の使用手順を示す背面図である。
【図７】本考案により折りたたまれたシャツを示す背面図である。
【図８】本考案のボタン固定片と補助台紙と台紙本体を示す要部側断面図である。
【図９】本考案の襟整形部の使用状態を示す正面図である。
【図１０】本考案の襟整形部の使用状態を示す斜視図である。
【考案を実施するための形態】
【００２６】
本考案によると、簡単な作業で台紙とシャツを固定することができ、しかも、ワイシャツの襟の内側に表示された商品表示を確認することが可能になるなどといった当所の目的を達成した。
【実施例】
【００２７】
以下、本考案の実施例を説明する。本考案の基本構成は、一枚の型紙にて形成された台紙１０と襟整形部２０と連結部３０にて構成された一体型台紙である（図1参照）。
【００２８】
台紙１０は、シャツＰの背面に重合する部材であり、台紙本体１０Ａと補助台紙１０Ｂとで構成している（図２参照）。台紙本体１０Ａは、シャツＰの背面に重合する矩形状の部材で、この台紙本体１０Ａの側縁部に補助台紙１０Ｂが折曲自在に連設されている。
【００２９】
台紙本体１０Ａには、複数のクリップ片１１を切り起こして形成してあり、このクリップ片１１にて折りたたまれた袖Ｐ２を襟Ｐ１方向から係止する。一方、補助台紙１０Ｂには、矩形状の重合片１２を切り起こし形成しており、折りたたまれた袖Ｐ２を袖Ｐ２方向から係止するものである（図４参照）。また、補助台紙１０Ｂには、袖Ｐ２を横方向から係止する重合片１２が設けられている（図６参照）。
【００３０】
この台紙１０を使用してシャツＰを折りたたむには、まず、シャツＰの背面に台紙本体１０Ａを載置する。次に、一方の袖Ｐ２を台紙本体１０Ａ上に折たたみ、クリップ片１１にてこの袖Ｐ２を係止する（図４参照）。さらに、台紙本体１０Ａ上に折りたたまれた一方の袖Ｐ２の上に補助台紙１０Ｂを重ねる（図５参照）。その後、この補助台紙１０Ｂの上に他方の袖Ｐ２を折りたたむ（図６参照）。この袖Ｐ２を補助台紙１０Ｂの重合片１２が横方向から係止するものである。図示例では、クリップ片１１の一部を利用して、重合片１２が係止した袖Ｐ２も係止するように構成している。
【００３１】
連結部３０は、台紙１０の上端に連設された部材で、シャツＰの襟Ｐ１外側に沿って重合し、襟Ｐ１の内部に重合する襟整形部２０を連設している（図３参照）。さらに、この連結部３０から台紙本体１０Ａにかけてボタン固定片３１を形成している（図２参照）。このボタン固定片３１は、連結部３０を切り起こして形成した帯状を成し、ボタン固定孔３２を開穿している。このボタン固定孔３２は、挿通孔３２Ａと係止孔３２Ｂとを併設した孔である。すなわち、挿通孔３２ＡはシャツＰのボタン径より大径に形成され、係止孔３２Ｂはボタン径より小径に形成されている。そして、ボタン固定孔３２を台紙１０裏側のシャツＰのボタンに嵌合させるものである（図７参照）。
【００３２】
襟整形部２０は、シャツＰの襟Ｐ１の内部に重合する帯状の部材で、襟Ｐ１の外側に当接する連結部３０を介して襟Ｐ１の内部に重合するように形成している（図９参照）。さらに、この襟整形部２０の一部に、シャツＰの襟Ｐ１の内側に表示された商品表示が見える確認窓部２１を形成している（図２参照）。図示例では、襟整形部２０の一端に差込片２２を形成すると共に、襟整形部２０の他端部がわに複数の係止スリット２３を形成している。そして、差込片２２をいずれかの係止スリット２３に挿入係止することで、襟Ｐ１のサイズに合わせたリング状に連結するものである（図８参照）。
【００３３】
このとき、係止スリット２３は、確認窓部２１に隣接する位置に設定されている。これは、係止スリット２３の位置を選択して差込片２２を差し込んだときに、確認窓部２１の位置がずれないように構成したものである（図３参照）。
【産業上の利用可能性】
【００３４】
本考案は、ワイシャツＰのほか、カッターシャツＰなど、襟Ｐ１が立っているタイプのシャツＰ全般に利用することが可能である。また、本考案の各構成は図示例に限定されるものではなく、本考案の要旨を変更しない範囲で任意に変更することができる。
【符号の説明】
【００３５】
Ｐ  シャツ
Ｐ１  襟
Ｐ２  袖
１０  台紙
１０Ａ  台紙本体
１０Ｂ  補助台紙
１１  クリップ片
１２  重合片
２０  襟整形部
２１  確認窓部
２２  差込片
２３  係止スリット
３０  連結部
３１  ボタン固定片
３２  ボタン固定孔
３２Ａ  挿通孔
３２Ｂ  係止孔
【図１】
0003170263.tif 000003
【図２】
0003170263.tif 000004
【図３】
0003170263.tif 000005
【図４】
0003170263.tif 000006
【図５】
0003170263.tif 000007
【図６】
0003170263.tif 000008
【図７】
0003170263.tif 000009
【図８】
0003170263.tif 000010
【図９】
0003170263.tif 000011
【図１０】
0003170263.tif 000012